(57)【要約】【課題】ユーザが簡便に洗濯物の乾く時刻を得ることのできる技術を提供する。【解決手段】衣類の乾燥状態予測プログラムにおいて、衣類に付されたＲＦＩＤタグ３０から情報を取り出して洗濯物データベース３に格納する。ネットワーク１０を介して時間帯ごとの天気予報を取得する。洗濯物データベース３に格納した衣類の属性と、取得した時間帯ごとの天気予報とに基づいて、洗濯した衣類の乾燥状態を予測する。【選択図】図１
2008194153.tif 000002
【特許請求の範囲】
【請求項１】
衣類に付されたＲＦＩＤタグから属性情報を取り出して洗濯物データベースに格納し、
ネットワークを介して時間帯ごとの天気予報を取得し、
前記洗濯物データベースに格納した前記衣類の属性と、取得した時間帯ごとの天気予報とに基づいて、該洗濯した衣類の乾燥状態を予測する
処理をコンピュータに実行させることを特徴とする衣類の乾燥状態予測プログラム。
【請求項２】
前記乾燥状態を予測する処理を実行する前に、前記衣類の洗濯が完了する洗濯終了時刻を求めておき、
前記乾燥状態を予測する処理は、
気象条件情報を格納する気象条件データベースの中から、互いに異なる天気についての気象条件からなり、前記天気予報に含まれる気象条件と整合する第１及び第２の気象条件を検索し、
前記第１及び第２の気象条件の下で前記衣類が乾燥するまでに要する時間をそれぞれ示す、第１及び第２の乾燥所要時間を、前記洗濯物データベースから取り出し、
前記天気予報のうち、前記洗濯終了時刻以降の時間帯についての予想される天気を時系列に順次参照して、前記第１の気象条件の下にある第１の時間については前記第１の乾燥所要時間についての第２の乾燥所要時間に対する比で重み付けをし、前記第２の気象条件の下にある第２の時間については重み付けをせずに、累計時間に加算してゆき、
前記累計時間が前記第２の乾燥所要時間と等しくなったときに、該累計時間の算出に用いた時間帯ごとの前記第１及び第２の時間を合計して前記衣類が乾燥するまでに要する時間として設定する処理を含む
ことを特徴とする請求項１記載の乾燥状態予測プログラム。
【請求項３】
洗濯機に投入された全ての衣類について、それぞれ前記乾燥するまでに要する時間を求めてデータベースに格納し、
前記データベースを参照し、前記衣類ごとに設定された該衣類が乾燥するまでに要する時間の中から最長時間を検索し、
前記洗濯終了時刻及び前記最長時間に基づいて、前記全ての衣類が乾燥する時刻を求める
処理を更に備えたことを特徴とする請求項２記載の乾燥状態予測プログラム。
【請求項４】
衣類に付されたＲＦＩＤタグから情報を取り出して洗濯物データベースに格納する第１の格納手段と、
ネットワークを介して時間帯ごとの天気予報を取得する取得手段と、
前記洗濯物データベースに格納した前記衣類の属性と、取得した時間帯ごとの天気予報とに基づいて、該洗濯した衣類の乾燥状態を予測する乾燥状態予測手段と
を備えたことを特徴とする洗濯機。
【発明の詳細な説明】
【技術分野】
【０００１】
本発明は、洗濯機において使用されるプログラムに関し、特に、ＲＦＩＤ（Radio Frequency IDentification）システムを利用して洗濯に必要な情報を提供するためのプログラムに関する。
【背景技術】
【０００２】
従来技術として、ユーザが手動で作業を行わなくとも、衣類に貼付されたＩＤタグに格納されている各種の情報を、洗濯機に備えられたリーダを用いて読み出すことにより、最適な洗濯機の運転方法を洗濯機側において判断し、運転内容を決定することのできる技術が提供されている（例えば、特許文献１）。ここでの運転内容とは、推奨洗濯温度、推奨洗濯回転速度等の洗濯条件をいう。
【特許文献１】特開２００４−１７４０４３号公報
【発明の開示】
【発明が解決しようとする課題】
【０００３】
従来の洗濯機においては、上記のとおり、ＩＤタグの情報に基づいてそのＩＤタグの付された衣類に最適な洗濯を制御することはできるが、洗濯機に投入された衣類の洗濯後の管理、例えば衣類の乾燥に必要な時間を把握することはできなかった。衣類が乾燥するまでに要する時間は、気象条件や衣類の材質等により異なる。このため、ユーザは、洗濯する衣類の材質等の性質や、気象情報等を参照して衣類を乾燥させる時間等を考慮した上で、洗濯するタイミングや洗濯物を干す場所を決定していた。
【０００４】
このように、従来技術においては、洗濯機の洗濯動作を制御することはできるが、洗濯後の物干しについては、ユーザにとって必要な情報を提供することはできない、という課題が存在していた。
【０００５】
本発明は、ユーザが別途操作等を行うことなく、洗濯物の乾く時刻等の物干に必要な情報を簡便に得ることのできる技術を提供することを目的とする。
【課題を解決するための手段】
【０００６】
上記課題を解決するために、本発明に係る衣類の乾燥状態予測プログラムは、衣類に付されたＲＦＩＤタグから属性情報を取り出して洗濯物データベースに格納し、ネットワークを介して時間帯ごとの天気予報を取得し、前記洗濯物データベースに格納した前記衣類の属性と、取得した天気予報とに基づいて、該洗濯した衣類の乾燥状態を予測する構成とする。
【０００７】
衣類に付されたＲＦＩＤタグには、衣類の属性や気象条件との関係を示す情報が格納されている。ネットワークを介して取得した時間帯ごとの天気予報とこれに適合するＲＦＩＤタグに格納されている衣類の属性とを用いて、その衣類を洗濯した場合にどれくらいの時間で衣類が乾くかを予測する。
【０００８】
前記乾燥状態を予測する処理を実行する前に、前記衣類の洗濯が完了する洗濯終了時刻を求めておき、前記乾燥状態を予測する処理は、気象条件情報を格納する気象条件データベースの中から、互いに異なる天気についての気象条件からなり、前記天気予報に含まれる気象条件と整合する第１及び第２の気象条件を検索し、前記第１及び第２の気象条件の下で前記衣類が乾燥するまでに要する時間をそれぞれ示す、第１及び第２の乾燥所要時間を、前記洗濯物データベースから取り出し、前記天気予報のうち、前記洗濯終了時刻以降
の時間帯についての予想される天気を時系列に順次参照して、前記第１の気象条件の下にある第１の時間については前記第１の乾燥所要時間についての第２の乾燥所要時間に対する比で重み付けをし、前記第２の気象条件の下にある第２の時間については重み付けをせずに、累計時間に加算してゆき、前記累計時間が前記第２の乾燥所要時間と等しくなったときに、該累計時間の算出に用いた時間帯ごとの前記第１及び第２の時間を合計して前記衣類が乾燥するまでに要する時間として設定する処理を含む構成としてもよい。
【０００９】
更には、洗濯機に投入された全ての衣類について、それぞれ前記乾燥するまでに要する時間を求めてデータベースに格納し、前記データベースを参照し、前記衣類ごとに設定された該衣類が乾燥するまでに要する時間の中から最長時間を検索し、前記洗濯終了時刻及び前記最長時間に基づいて、前記全ての衣類が乾燥する時刻を求める構成としてもよい。
【発明の効果】
【００１０】
本発明によれば、ユーザに別途入力等の操作を求めることなく、洗濯機の置かれている地域の気象情報や洗濯機に投入された衣類に基づいて、洗濯物の乾く時刻等の物干に必要な情報を求めることができる。
【発明を実施するための最良の形態】
【００１１】
以下、本発明の好適な実施の形態について、図面を参照しながら詳細に説明する。
図１は、本実施形態に係る洗濯機を含むシステム図である。図１の洗濯機１は、気象庁等の気象情報提供機関８とインターネット等のネットワーク１０を介して接続されており、ＲＦＩＤリーダ２、洗濯物データベース（図では洗濯物ＤＢと表記）３、気象条件データベース（気象条件ＤＢ）４、運用条件データベース（運用条件ＤＢ）５、洗濯物仮データベース（洗濯物仮ＤＢ）６及びディスプレイ２０を備える。
【００１２】
ＲＦＩＤリーダ２は、洗濯機１に投入された衣類からＲＦＩＤタグ３０を検出し、ＲＦＩＤタグ３０に格納されている情報を読み出し、読み出した情報を洗濯物データベースに格納する。洗濯物データベース３は、衣類ごとに読み出した情報、すなわち、検出したＲＦＩＤタグ３０ごとに読み出した情報を格納する。気象条件データベース４は、洗濯機１の置かれている地域についての標準的な１日の気温や湿度等の気象条件や、各気象条件下における日照時間等についての情報を格納する。運用条件データベース５は、ユーザ等により指定された、洗濯機の運用条件に関わる情報を格納する。洗濯物仮データベース６は、洗濯機１に投入された衣類のそれぞれについて、乾くまでに要する時間等の情報を格納する。
【００１３】
洗濯機１は、ＲＦＩＤリーダ２により認識できたＲＦＩＤタグ３０の付された衣類について、実際に気象情報提供機関８から取得した気象情報によればどれくらいの時間で乾燥するかを、各種データベース（洗濯物データベース３、気象条件データベース４及び運用条件データベース５）に格納されている情報に基づいて算出して予測する。求めた結果は、洗濯物仮データベース６に格納される。洗濯物仮データベース６に格納されている情報に基づいて、ディスプレイ２０に乾燥予定時刻等の情報が出力される。
【００１４】
図２は、本実施形態に係る洗濯機１の構成図である。洗濯機１は、上記のＲＦＩＤリーダ２、洗濯物データベース３、気象条件データベース４、運用条件データベース５及び洗濯物仮データベース６に加えて、気象情報取得部１２、気象情報格納部１３、検索部１４、演算部１５及び出力部１６を含んで構成される。なお、図２においては衣類が乾く時間を算出する処理に関連する構成のみを示しており、他の構成については省略している。
【００１５】
気象情報取得部１２は、図１の気象情報提供機関８からネットワーク１０を介して気象情報を取得し、ネットワーク１０に接続するための装置を含む。気象情報格納部１３は、
取得した気象情報を一時的に格納しておく領域からなる。
【００１６】
検索部１４は、取得した気象情報にマッチングする気象条件を、気象条件データベース４から検索する。演算部１５は、検索部１４におけるマッチング処理の結果得られた気象条件と、洗濯機データベース３に格納されている衣類（洗濯物）についての情報と、洗濯機１の運用方法を指定する運用条件データベース５から必要な情報を読み出して、各衣類について乾燥するまでに要する時間を算出する。算出結果は洗濯物仮データベース６に格納される。
【００１７】
出力部１６は、洗濯物仮データベース１６に格納されている情報に基づいて、ディスプレイ２０上に、洗濯機１内の衣類を洗濯して屋外に干したときにこれらの衣類が乾くと予想される時間を出力する。衣類が乾くと予想される時間を、以下、衣類の「乾燥時間」と定義する。
【００１８】
次に、衣類の乾燥時間の具体的な算出方法について説明する。
図３は、衣類の乾燥時間を算出する処理の全体を示したフローチャートである。まず、ステップＳ１で、衣服に付すべきＲＦＩＤタグ３０にその衣服及び気象条件等の情報を格納し、縫い付けておく。なお、図３ではステップＳ１の処理についても乾燥時間の算出処理に含めて記載しているが、ステップＳ１の処理は、洗濯機１における処理ではなく、その前段階としての処理である。すなわち、ステップＳ１のＲＦＩＤタグ３０を衣類に付す処理は衣料メーカー等においてなされ、ＲＦＩＤタグ３０の付された衣類を洗濯機１において認識することで、その衣類の乾燥時間を算出する処理が実行可能となる。
【００１９】
ステップＳ２以降の処理については、洗濯機１において実行される処理である。まず、ステップＳ２で、洗濯機１に衣類が投入されたときに、衣類に付されたＲＦＩＤタグ３０を検出してタグに格納されている情報を読み取る。ＲＦＩＤリーダ２は一般的には常時稼働しているため、実施例においては衣類が洗濯機１に投入されたタイミングでＲＦＩＤタグ３０から情報を読み取ることとしているが、これに限らない。ＲＦＩＤリーダ２を用いて衣類に付されたＲＦＩＤタグ３０から情報を読み取るには、例えば、ＲＦＩＤリーダ２が洗濯機１の電源とともにオン／オフが設定される構成である場合は、洗濯機１の電源がオンに設定されたタイミングでＲＦＩＤタグ３０から情報を読み取ることとしてもよい。ステップＳ３で、ＲＦＩＤタグ３０から読み取った情報を洗濯物データベース３に格納する。
【００２０】
ステップＳ４で、ユーザの入力等により、洗濯機１の洗濯動作を開始する。そして、ステップＳ５で、洗濯機１に投入されている衣類の洗濯終了時刻を計算して取得する。なお、ステップＳ５における洗濯終了時刻を計算する処理については、洗濯機１に投入された衣類の枚数や分量等の情報に基づいて計算する技術で、これは、公知技術を用いている。ステップＳ６で、気象情報提供機関８から、洗濯動作を開始したとき以降の気象情報を取得する。
【００２１】
ステップＳ７で、洗濯機１に備えられる各種のデータベース及び一時領域に格納した気象情報に基づいて、各衣類の乾燥時間を計算する。乾燥時間の具体的な計算方法については、後述する。そして、ステップＳ８で、求めた乾燥時間等の情報を洗濯機１のディスプレイ２０に表示して、処理を終了する。
【００２２】
まず、前処理であるＲＦＩＤタグ３０への情報登録処理について説明する。
図４は、衣類への情報登録処理を示したフローチャートである。図４に示す処理は、図３のステップＳ１の処理に相当する。
【００２３】
まず、ステップＳ１１で、実験や予測等により衣類についての乾燥時間を計算し、得られたデータをコンピュータに取り込む。そして、ステップＳ１２で、得られた乾燥時間を含むデータをＲＦＩＤタグ３０に書き込み、ＲＦＩＤ情報を格納したＲＦＩＤタグ３０を衣類に縫い付けると、処理を終了する。
【００２４】
図５は、ＲＦＩＤタグ３０に書き込まれるＲＦＩＤ情報の例を示す図である。ＲＦＩＤタグ３０に保持されるＲＦＩＤ情報は、衣類についての基礎情報部と、乾燥情報部とからなる。
【００２５】
基礎情報部は、ＲＦＩＤタグ３０の付された衣類についての情報からなり、例えば、衣料品識別情報（図５では衣料品ＩＤ）、衣料分類情報、メーカー情報、色情報、サイズ情報、その他衣類の素材や生地の厚さ等の情報を含んで構成される。基礎情報部に含まれる情報は、ユーザに対して具体的にある衣類について警告を発する場合や、洗濯終了時刻の計算あるいは洗濯動作の制御の際に参照される。
【００２６】
乾燥情報部は、衣類を乾燥させる気象条件を識別するための気象条件識別情報（図５では気象条件ＩＤと表記）と、気象条件識別情報に対応付けられた乾燥時間情報とからなる。本実施形態においては、気象条件とは、所定の気温、湿度及び天気の組み合わせを指すものとする。
【００２７】
ここで、ある衣類の乾くまでに要する時間は、仮に１日の最低気温、最高気温最低湿度及び最高湿度が同じであっても、天気が晴れの場合と曇りの場合とでは異なる。同様に、ある衣類について乾くまでに要する時間は、同じ「晴れ」の天気であっても、１日の気温や湿度の変化によって異なる。
【００２８】
かかる事実に基づいて、本実施形態においては、予め衣類ごとに気象条件とその気象条件の下でのその衣類の乾燥時間との関係を定めておく。そして、気象条件ごとに識別情報（気象条件識別情報）を割り当て、ＲＦＩＤタグ３０には、気象条件識別情報と乾燥時間とを対応付けて格納する。気象条件識別情報により、複数用意されている気温、湿度等の組み合わせが互いに区別される。
【００２９】
図６は、ＲＦＩＤタグ３０に格納されている情報を洗濯機１のＲＦＩＤリーダ２を用いて読み取る処理を示したフローチャートである。次に、図６を参照して洗濯機１における情報読取処理について説明する。
【００３０】
ステップＳ２１で、検出したＲＦＩＤタグ３０から情報を読み取る。読み取る情報は、先に説明した図５に示すように、衣類に関わる基礎情報部と乾燥時間に関わる乾燥情報部とを含む。ステップＳ２２で、ＲＦＩＤタグ３０から読み出した情報を、洗濯物データベース３に格納し、処理を終了する。
【００３１】
図６に示す情報読取処理は、洗濯機１に衣類が投入されることにより、洗濯機１のＲＦＩＤリーダ２において衣類に付されたＲＦＩＤタグ３０を検出するごとに実行され、洗濯動作が開始されるまで繰り返し実行される。
【００３２】
図７は、洗濯物データベース３において保持するデータ構造の例を示す図である。洗濯機１に投入された洗濯物ごと、すなわち検出したＲＦＩＤタグ３０ごとに、洗濯物識別情報（図７においては洗濯物ＩＤ）を割り当てる。洗濯物データベース３において、割り当てた洗濯物識別情報と対応付けて、ＲＦＩＤタグ３０から読み出した基礎情報部及び乾燥情報部の内容を格納する。
【００３３】
図８は、洗濯機１において外部から情報を取得する処理を示したフローチャートである。図８を参照して、外部情報取得処理について説明する。
まず、ステップＳ３１で、ユーザが操作パネルの洗濯開始のボタンを押下する等により、洗濯動作を開始させる旨の指示が、洗濯機の制御部（図２の構成図においては不図示）に入力される。ステップＳ３２で、洗濯機１に投入されている洗濯物の量や洗濯物の素材等を考慮して、洗濯に要する時間等を求めて洗濯終了時刻を取得する。求めた洗濯終了時刻は、一時領域に格納される。なお、上記のとおり、ステップＳ３２における洗濯終了時刻の算出は、公知の技術を用いている。
【００３４】
ステップＳ３３で、気象情報提供機関８から洗濯機１の置かれている地域の気象情報を取得する。ステップＳ３４で、取得した気象情報は、一時領域（図２では気象情報格納部１３に相当）に格納する。
【００３５】
ステップＳ３３で気象情報を取得する処理は、例えば洗濯機１の属する地域の天気予報を示すウェブ上の所定のサイトのアドレスを予め登録しておき、そのアドレスにアクセスして必要な情報を抽出することによってもよい。あるいは、一般の気象情報提供サービス等を利用することとしてもよい。
【００３６】
図９は、一時領域に保持される気象情報の構造の例を示す図である。気象情報は、一般的に提供されているものと同様に、１日を更に複数の時間帯に分割し、時間帯ごとに予想される天気、温度及び湿度等の気象条件や、降水確率及び日照時間等の情報を含んでおり、時間帯ごとの予報の他、日出時間や日没時間をも含む。
【００３７】
以下の説明において、「時間帯」とは、気象情報提供機関８により提供される気象情報の時間区分と定義する。この定義によれば、気象情報提供機関８の提供する気象情報が６時間ごとに区分されている場合は、時間帯とは「午前６時から正午まで」、「正午から午後６時まで」等を指し、気象情報提供機関８の提供する気象情報が３時間ごとに区分されている場合は、「午前６時から９時まで」、「午前９時から正午まで」、「正午から午後３時まで」等を指す。
【００３８】
図１０は、洗濯機１において情報分析を行う処理を示したフローチャートである。
ステップＳ４１で、運用条件データベース５から運用条件情報を取り出す。上記のとおり、運用条件データベース５には、洗濯機１を制御するときの各種の運用方法に関わる情報を格納している。ステップＳ４２で、一時領域から取り出した「洗濯終了時刻」が示す時刻に、運用条件データベース５から取り出した「物干時間」が示す時間を加算して、得られた時刻を物干完了時刻として設定する。なお、物干が完了する時刻とは、洗濯物が乾き始める時刻と言うこともできる。そこで、以下の説明においては、「物干完了時刻」及び「乾燥開始時刻」が表す時刻は、いずれも洗濯終了時刻に物干時間を加算した時刻であり、同じ時刻を指すこととする。
【００３９】
ステップＳ４３で、気象情報格納部１３に格納されている気象情報のうち、降水確率が所定の閾値を超える時間帯を検索する。所定の閾値は、予めユーザ等が指定した値が運用条件データベース５に格納されている。ユーザは、例えば降水確率が３０パーセント超であれば洗濯物を屋内に干そうと考える場合は、この所定の閾値に「３０」を設定する。
【００４０】
ステップＳ４４で、検索した気象情報中に、降水確率が上記の所定の閾値を超える時間帯が存在したか否かを判定する。所定の閾値は、ユーザが洗濯物を屋外に干すか屋内に干すかを判断する境界値であるから、降水確率が所定の閾値を超える時間帯があるときは、ステップＳ４５に進み、条件を満たす時間帯のうち、上記の物干完了時刻以降に最初に現れる時間帯の開始時刻をタイムリミット時刻として設定する。例えば閾値を「３０」と置
いた場合には、図９の気象情報によれば、正午から午後３時（１２：００−１５：００）の時間帯が最初に降水確率が３０パーセント超となる時間帯である。この場合、開始時刻の「１２時００分」をタイムリミット時刻として設定する。気象情報中に降水確率が所定の閾値を超える時間帯がないときは、特に処理を行わず、ステップＳ４６に進む。
【００４１】
「タイムリミット時刻」とは、衣類の乾燥時間の算出処理において、洗濯物の衣類を屋外に干すことのできる限度となる時刻をいい、初期値としては、例えば洗濯を行った日の終わりである「２４時００分」や、洗濯終了時刻あるいは物干完了時刻から２４時間後の時刻等の、所定の値が設定される。
【００４２】
ステップＳ４６で、ユーザが夜間干しを許可しているか否かを判定する。夜間干しの可否を示す情報は、運用条件データベース５に格納されている。夜間干しが許可されている場合は、特に処理を行わずにステップＳ４８に進むが、夜間干しが禁止されている場合は、ステップＳ４７に進む。
【００４３】
ステップＳ４７で、タイムリミット時刻と日没の時刻とを比較し、先に到来する方の時刻を、タイムリミット時刻に設定し直し、ステップＳ４８に進む。その時刻以降は夜間干しとなることを示す日没時間と、気象情報によれば降水確率の高い時間帯の開始時刻とを比較して、より早い時刻をタイムリミット時刻に設定している。
【００４４】
上記のステップＳ４３からステップＳ４７の処理を実行し、タイムリミット時刻を設定しておくことで、屋外に洗濯物を干している途中で雨が降り出すことにより洗濯物を屋内に取り込む必要が生じることを避けたい場合や、日没時間ごろまでには物干を終えて洗濯物を取り込みたい場合に、実際の気象情報及び洗濯機１の動作に基づいて適切な時刻が設定される。
【００４５】
ステップＳ４８で、衣類ごとに乾燥時間を算出する処理が実行される。ステップＳ４８の処理については後述する。ステップＳ４９で、洗濯機１のディスプレイ２０に情報が表示されたか否かを判定する。ここでディスプレイ２０に表示されるメッセージは、先に求めたタイムリミット時刻により洗濯物を屋外に干すことは適当でない旨をユーザに警告するためのエラーメッセージ等である。ステップＳ４９において、ディスプレイ２０にエラーメッセージ等が表示されたと判定された場合は、最終的に全ての衣類が乾く時刻を求める処理は行わず、処理を終了する。メッセージが表示されていないと判定された場合は、ステップＳ５０に進む。
【００４６】
ステップＳ５０で、洗濯物仮データベース６を検索して衣類ごとに求められた乾燥時間の中から、乾燥時間が最長となる値を検索する。そして、検索により得られた時間から、最終的に全ての洗濯物が乾き切る時刻すなわち衣類の乾燥予想時刻を算出する。具体的には、図３のステップＳ３で求めた洗濯終了時刻に物干時間及び最長の乾燥時間を加算した結果得られる時刻を、衣類の乾燥予想時刻として設定する。
【００４７】
更に、ステップＳ５１で、洗濯物仮データベース６に格納されている情報の中から、乾燥時間が設定されていない（ＮＵＬＬ値の設定されている）洗濯物を検索する。そして、最後に、ステップＳ５２で、ディスプレイ２０に上記の分析処理により得た衣類感想予想時刻や乾き切らない洗濯物についての情報を出力し、処理を終了する。
【００４８】
なお、図１０の情報分析処理においては運用条件の物干時間に基づいて乾燥開始時刻を設定しているが、これに限らない。例えば洗濯する衣類の分量等に応じて予め何段階かの物干時間を用意しておき、自動的に物干時間についても設定する構成としてもよい。あるいは、公知技術である洗濯終了時刻を求めるときに、物干時間も含めて物干完了時刻（乾
燥開始時刻）を計算する構成としてもよい。洗濯物の分量やユーザの嗜好に応じて、物干時間を考慮しないで乾燥開始時刻を設定することとしてもよい。
【００４９】
図１１は、運用条件データベース５の構造の例を示す図である。図１１に示す値は、ユーザがディスプレイ２０等のユーザインタフェースを介して設定することができる。図１１に示すとおり、運用条件には、物干時間情報、雨判定降水確率情報、夜間干し可否情報及び屋内許容枚数情報を含んで構成される。
【００５０】
物干時間情報は、図１０のステップＳ４２において物干完了時刻を算出するときに用いた情報であり、ユーザが洗濯物を干すために要する時間を示す。
雨判定降水確率情報は、ステップＳ４３の判定において用いた所定の閾値を決定するための値であり、降水確率が雨判定降水確率情報の値を超える場合は、雨天の可能性が高いため屋外に干すことを取り止めるとユーザが判断する値が設定される。
【００５１】
夜間干し可否情報は、ステップＳ４６の判定において用いており、夜間干しを許可するか否かを示す情報が格納されている。例えば、夜間干しの可否はＹ／Ｎで表され、「Ｙ」は夜間干しを許可する意であり、「Ｎ」は夜間干しを禁止する意であることを示す。屋内許容枚数情報は、ユーザが屋内に干してもよいと判断する最大の衣類の枚数を示す。
【００５２】
図１２、図１４及び図１６は、衣類ごとの乾燥時間算出処理を示したフローチャートである。図１２、図１４及び図１６を参照して、上記のステップＳ４８の処理を詳細に説明する。
【００５３】
まず、ステップＳ６１で、一時領域に格納されている気象情報を検索して、乾燥開始時刻が含まれる時間帯を検索する。先に説明したとおり、乾燥開始時刻は物干完了時刻と一致し、物干完了時刻とは、洗濯終了時刻に物干時間を加算して得られる時刻を指す。
【００５４】
ステップＳ６２で、乾燥開始時刻と上記ステップＳ４５あるいはステップＳ４７で設定したタイムリミット時刻とを比較し、乾燥開始時刻とタイムリミット時刻との時間の先後を判定する。乾燥開始時刻がタイムリミット時刻よりも時間的に後である場合は、ステップＳ６３に進む。なお、タイムリミット時刻の初期値として例えば２４時００分が設定されており、図１０に示す情報分析処理においてタイムリミット時刻が設定されなかった場合は、その日のうちに衣類が乾くか否かをステップＳ６２において判定することになる。
【００５５】
ステップＳ６３で、乾燥開始時刻すなわち物干が完了した頃にはすでに雨が降り出すかあるいは日没後であり、屋外に干すことは適当でない旨のメッセージをディスプレイ２０に表示し、処理を終了する。
【００５６】
ステップＳ６２の判定において乾燥開始時刻よりもタイムリミット時刻の方が後である場合は、ステップＳ６４に進み、気象条件データベース４に格納されている気象条件の中から気象情報に適合する気象条件識別情報の検索を行う。具体的には、乾燥開始時刻の含まれる時間帯の気象情報から気温及び湿度を読み出して、気象条件データベース４から予報中の気温及び湿度にマッチングする気温及び湿度からなる気象条件を検索して、検索の結果得られた気象条件を示す気象条件識別情報を求める。本実施形態においては、気象条件データベース４から予報の気温及び湿度と整合する気象条件を検索すると、検索結果として「晴れ」及び「曇り」の天気にそれぞれ対応する気象条件を得る。
【００５７】
ここで、気象条件データベース４について図面を参照して説明する。図１３は、気象条件データベース４の構造の例を示す図である。気象条件としては、天候（天気）、最低気温、最高気温、最低湿度及び最高湿度を含み、更に、各気象条件の下での日照時間を含む
。これらの情報の組み合わせに対して気象条件識別情報（図１３では気象条件ＩＤと表記）が割り当てられている。
【００５８】
気象条件データベース４に登録されている気象条件としては、季節ごとの１日の代表的な気象データパターンが登録されている。それぞれの気象データパターンにつき、例えば図中においては（＊＊）印を付した組のように、気温（最低気温及び最高気温）及び湿度（最低湿度及び最高湿度）については同じ値が設定され、天候についてはそれぞれ「晴れ」及び「曇り」が設定された２パターンの気象条件が登録されている。
【００５９】
上記ステップＳ６４のマッチング処理では、気温（最低気温及び最高気温）及び湿度（最低湿度及び最高湿度）が最も近い気象条件識別情報を求めて、天候が互いに異なる１組の気象条件を検索結果として取り出す。
【００６０】
気象条件データベース４から「晴れ」及び「曇り」の天気に対応する２つの気象条件識別情報を求めると、ステップＳ６５に進む。ステップＳ６５以降は、洗濯物すなわち洗濯物識別情報ごとに処理が実行される。
【００６１】
ステップＳ６５で、上記のマッチング処理で気象条件データベース４から取り出した２パターンの気象条件識別情報とそれぞれ一致する気象条件識別情報を、洗濯物データベース３から検索する。そして、洗濯物データベース３の乾燥情報から、検索により得られた２つの気象条件識別情報とそれぞれ対応付けられている乾燥時間情報を取り出す。晴れ及び曇りの天気に対応する乾燥時間情報が取り出される。
【００６２】
ステップＳ６６で、洗濯物仮データベース６に洗濯物識別情報の値を挿入し、挿入した洗濯物識別情報に対応する乾燥時間には、ＮＵＬＬ値を挿入しておく。洗濯物仮データベース６に洗濯物識別情報を格納すると、図１４のステップＳ６７に進み、ステップＳ６５で取り出した２通りの乾燥時間情報、及び気象情報提供機関８から取得した気象情報を用いて、衣類（洗濯物）が乾燥するまでに要する乾燥時間の算出処理を開始する。
【００６３】
ステップＳ６７で、対象とされている時間帯の開始時刻と上記タイムリミット時刻とを比較する。対象の時間帯の開始時刻がタイムリミット時刻よりも後であるときは、その時間帯以降については雨や日没等により屋外に干すことはできないと判断して、対象の衣類についてはそれ以上乾燥予想時間算出処理を行わないこととし、図１６のステップＳ８５に進む。
【００６４】
図１４のステップＳ６７の判定において、時間帯の開始時刻よりもタイムリミット時刻の方が後であるときは、ステップＳ６８に進み、その時間帯の気象情報のうちの天気を参照し、充当順を判定する。
【００６５】
ここで、「充当順」とは、「晴れ」及び「曇り」の２通りの天気のうち、乾燥時間計算処理に優先的に適用する天気の順を示し、対象となる時間帯の気象情報の内容にしたがって決定される。すなわち、対象の時間帯の予報は晴れあるいは曇りのいずれであるのか、あるいは、晴れあるいは曇りのいずれの天気が先であるか及び晴れあるいは曇りのいずれの天気の占める割合が大きいか等の予報の内容にしたがって充当順を決定する。
【００６６】
例えば、予報中の天気が晴れであれば、「晴れ」の天気における乾燥時間情報を用いてまず乾燥予想時間を求め、更に計算が必要なときは、更に「曇り」の天気における乾燥時間情報を用いて計算を行う。予報中の天気が曇りであれば、「曇り」に対応する乾燥時間情報を用いて乾燥予想時間を求め、更に計算が必要なときは、「晴れ」に対応する乾燥時間情報を用いて計算を行う。
【００６７】
天気予報が「晴れのち曇り」や「晴れ一時（または時々）曇り」である場合は、その時間帯のうち「晴れ」の天気が占める時間の割合が大きいとして、先に「晴れ」について計算し、その後更に計算が必要なときは、「曇り」について計算する。天気予報が「曇りのち晴れ」や「曇り一時（または時々）晴れ」である場合は先に「曇り」について計算し、その後「晴れ」について計算することとする。
【００６８】
まずは、充当順にしたがって、「晴れ」について先に計算する場合について説明する。この場合は、ステップＳ６９に進む。
ステップＳ６９で、気象情報から日照時間を読み出し、読み出した日照時間を「晴れ時間」とおく。そして、晴れ時間に２通りの乾燥時間情報から求めた晴れ乾燥係数で重み付けをした時間を、累計乾燥時間に加算する。以下の説明においては、ステップＳ６５で求めた晴れ及び曇りの場合の乾燥時間をそれぞれ「晴れ乾燥時間」及び「曇り乾燥時間」と表記することとする。上記の晴れ乾燥係数は、晴れ乾燥時間の曇り乾燥時間に対する比で定義される。累計乾燥時間に加える時間を以下「充当した時間」と表現することとする。
【００６９】
例えばある衣類について、晴れ乾燥時間が４００であり、曇り乾燥時間が２００である場合、晴れ乾燥係数は、４００／２００＝２．０となる。この場合、その衣類は、天気が晴れであれば２００分で乾くので、４００分を要する曇りの場合と比較して２．０倍早く衣類が乾くと言える。
【００７０】
そこで、本実施形態に係る衣類の乾燥時間計算方法によれば、曇りの天気を基準として各時間帯のうち天気ごとに占める時間を日照時間から求め、晴れ時間には晴れ乾燥係数を用いて重み付けをして、曇りの時間（曇り時間）には重み付けなしに、順次累計乾燥時間に加算をしてゆく。累計乾燥時間は、重み付けの基準とされている曇りの場合の乾燥時間と比較して判断される。すなわち、累計乾燥時間が曇り乾燥時間と等しくなったときにおける重み付けなしの時間の合計、すなわち、晴れ時間及び曇り時間の合計時間を、予想される天気の下で衣類が乾燥するまでに要する時間であるとして求める。
【００７１】
ステップＳ７０で、累計乾燥時間と曇りの天気の下での乾燥時間（以降は曇り乾燥時間と表記）とを比較し、累計乾燥時間が曇り乾燥時間を超えたか否かを判定する。累計乾燥時間が曇り乾燥時間を超えている場合はステップＳ７１に進み、累計乾燥時間が曇り乾燥時間以下の場合はステップＳ７３に進む。
【００７２】
ステップＳ７０の判定において累計乾燥時間が曇り乾燥時間を超えている場合、ステップＳ７１で、累計乾燥時間が曇り乾燥時間と等しくなるまで、ステップＳ６９で累計乾燥時間から充当した時間を減算していく。具体的には、処理対象の時間帯よりも前の時間帯までについての累計乾燥時間と曇り乾燥時間との差を求め、その差分の時間を充当するために必要な晴れ時間を求めて累計乾燥時間に加算する。
【００７３】
更に具体的な数値を用いて説明する。例えば晴れ乾燥時間は２００分であり、曇り乾燥時間は４００分であるときに、ステップＳ６９で晴れ時間４５分×晴れ乾燥係数２．０（＝４００／２００）より９０分の時間を充当した結果、累計乾燥時間が４６０分となった場合について考える。このとき、累計乾燥時間は曇り乾燥時間を６０分超過している。曇り乾燥時間と累計乾燥時間とが等しくなるには、４００−（４６０−９０）＝３０分の充当で足りる。ここで、晴れ時間については晴れ乾燥係数２．０の重み付けがなされていることから、実際は３０／２＝１５分の晴れ時間を累計乾燥時間に加算することで、累計乾燥時間は３７０＋１５×２．０＝４００分となり、曇り乾燥時間と等しくなる。
【００７４】
ステップＳ７２で、ステップＳ７１で求めた充当すべき晴れ時間を含めて晴れ時間と曇
り時間の合計時間を求め、衣類の乾燥時間として洗濯物仮データベース６に格納し、図１６のステップＳ８５に進む。
【００７５】
ステップＳ７０の判定において累計乾燥時間が曇り乾燥時間以下である場合、ステップＳ７３で、曇り時間を累計乾燥時間に加算する。曇り時間とは、１つの時間帯に属する時間と日照時間との差と定義する。これは、日照時間が「直達日射量が０．１２キロワット毎平方メートル以上」と定義されており、この０．１２キロワット毎平方メートルの閾値は、雲がない場合の、日の出のしばらく後、日没のしばらく前の日射量に相当することに基づいている。すなわち、本実施形態においては、日照時間は天気が「晴れ」の期間に等しく、天気が「曇り」である期間については、１つの時間帯に属する時間から日照時間すなわち晴れの時間を減算することにより得られるとして、晴れ時間及び曇り時間を定義している。
【００７６】
フローチャートの説明に戻る。ステップＳ７４からステップＳ７６の処理については、それぞれ上記のステップＳ７０からステップＳ７２の処理と同様であるため、ここでは説明を省略する。
【００７７】
なお、ステップＳ７５及びステップＳ７６の処理においては、（累計乾燥時間）＝（曇り乾燥時間）の関係式を満たす曇り時間の充当分を求めている。曇り時間については重み付けをしていないので、（曇り時間）＝（充当分の時間）の関係にある。
【００７８】
先と同様に、晴れ乾燥時間が２００分、曇り乾燥時間が４００分で、ステップＳ７３で時間を９０分充当した結果、累計乾燥時間が４６０分となった場合について考えることとする。この場合、曇り乾燥時間と累計乾燥時間とが等しくなるには４００−（４６０−９０）＝３０分充当すれば足りる。曇り時間については重み付けなしで累計乾燥時間に加算しているので、累計加算時間に３０分の曇り時間を加算することで、３７０＋３０＝４００分となり、曇り乾燥時間と等しくなる。
【００７９】
ステップＳ７４の判定において累計乾燥時間が曇り乾燥時間以下である場合は、次の時間帯について時間を充当していく処理を実行するため、ステップＳ６７に戻る。
以上の処理は、ステップＳ６８において充当順が「晴れ」と判定された場合の処理である。次に、ステップＳ６８において充当順が「曇り」と判定された場合の処理について説明する。
【００８０】
充当順にしたがって「曇り」を先に計算する場合は、ステップＳ６８からステップＳ７７に進む。ステップＳ７７で、曇り時間を累計乾燥時間に加算し、ステップＳ７８に進む。ここで、曇り時間は、上記のとおり、１つの時間帯に含まれる時間と日照時間の差で求められる。そして、充当する時間には、重み付けを行わない。これは、累計乾燥時間になるまで時間が充当されたか否かを判定する基準に曇り乾燥時間を用いていることによる。
【００８１】
ステップＳ７８で、累計乾燥時間と曇り乾燥時間とを比較する。累計乾燥時間が曇り乾燥時間を超えた場合はステップＳ７９に進み、累計乾燥時間がまだ曇り乾燥時間を超えていない場合はステップＳ８１に進む。ステップＳ７９及びステップＳ８０の処理は、上記のステップＳ７１及びステップＳ７２の処理や、ステップＳ７５及びステップＳ７６の処理と同様である。
【００８２】
ステップＳ８１で、晴れ時間に晴れ乾燥係数で重み付けした時間を、累計乾燥時間に加算する。重み付けする理由については、先に説明したとおりである。ステップＳ８２以降の処理については、曇り乾燥時間と累計乾燥時間が等しくなるような充当時間を求め、求めた充当時間を晴れ乾燥係数で割ることにより得られた晴れ時間を、ステップＳ８１で加
算するまえの累計乾燥時間に加算する処理であり、これは、ステップＳ７１及びステップＳ７２の処理と同様である。
【００８３】
図１２及び図１４のフローチャートに示す処理を実行することで、対象とされている衣類について気象情報から予想される乾燥時間が求められ、洗濯物識別情報と対応付けて洗濯物仮データベース６に格納される。乾燥時間情報の設定が完了すると、図１６のステップＳ８５に進む。なお、計算対象となる全ての時間帯について晴れ時間及び曇り時間を順次充当していっても累計乾燥時間が曇り乾燥時間に達しない場合は、洗濯物仮データベース６の乾燥予想時間情報としては、ＮＵＬＬ値が設定されたまま、図１６のステップＳ８５に進むことになる。
【００８４】
図１５は、洗濯物仮データベース６の構造の例を示す図である。洗濯物仮データベース６には、洗濯物識別情報（図１５では洗濯物ＩＤと表記）と乾燥予想時間情報とが互いに関連付けて格納されている。図１５に示す例においては全ての衣類について上記の乾燥時間算出処理が実行されたものとすると、洗濯物識別情報「００６」、「００７」及び「００８」が示す衣類については、乾燥予想時間情報としてＮＵＬＬ値が設定されており、時間内には乾かないことを示している。
【００８５】
図１６は、ある衣類についての乾燥時間の計算が完了した後の処理を示す。
図１６のステップＳ８５で、洗濯物仮データベース６のうち、対象の衣類を示す洗濯物識別情報を検索し、その洗濯物識別情報と対応付けて乾燥時間情報に値が格納されているか否かを判定する。乾燥時間情報に値が設定されている場合は、特に処理を行わず、上記のステップＳ６５に戻り、次の衣類について乾燥時間の算出処理を実行する。
【００８６】
ステップＳ８５の判定において、乾燥時間にＮＵＬＬ値が設定されていた場合は、ステップＳ８６に進む。乾燥時間情報としてＮＵＬＬ値が設定されている場合は、その洗濯物についてはタイムリミット時刻までに乾き切らないことを意味する。そこで、ステップＳ８６に進み、乾かない衣類の枚数を数えるためのカウンタ値に１を加算する。そして、ステップＳ８７で、運用条件の１つである屋内許容枚数と上記の乾かない衣類の枚数のためのカウンタ値とを比較し、乾かない衣類の枚数が屋内許容枚数を超えたか否かを判定する。なお、乾かない衣類の枚数についてのカウンタの初期値は１であるものとする。乾かない衣類の枚数が未だ屋内許容枚数に達していない場合は特に処理を行わずに、ステップＳ６５に戻り、次の衣類についての乾燥時間の算出処理を実行する。
【００８７】
ステップＳ８７で、乾かない衣類の枚数が屋内許容枚数を超えたと判定した場合は、ステップＳ８８に進み、洗濯物仮データベース６から該当する洗濯物識別情報を取り出し、取り出した洗濯物識別情報をキーとして洗濯物データベース３を検索し、その洗濯物についての必要な情報を取り出す。そして、ステップＳ８９で、乾かない衣類の枚数が屋内許容枚数を超えた旨のメッセージ等をディスプレイ２０に出力し、ステップＳ６５に戻る。
【００８８】
以上、図１２、図１４及び図１６に示す衣類の乾燥時間の算出処理によれば、気象情報の時間帯の区分にしたがって、乾燥開始時刻の含まれる時間帯以降の気象情報を時系列に参照していく。各時間帯のうち晴れの天気が占める時間（晴れ時間）及び曇りの天気が占める時間（曇り時間）を気象情報の日照時間から求める。そして、予報の内容により決定される充当順にしたがって、時間帯ごとに晴れ時間及び曇り時間を順次累計乾燥時間に加算していく。晴れ時間については、晴れ乾燥時間の曇り乾燥時間に対する比（晴れ乾燥係数）で重み付けしてから累計乾燥時間に加算する。
【００８９】
順次時間帯ごとに充当順にしたがって時間を充当していき、累計乾燥時間と曇り乾燥時間とが相互に等しくなるときの、晴れ時間及び曇り時間の合計時間を求める。求めた合計
時間を、衣類の気象情報に対応する乾燥時間とする。
【００９０】
なお、上記の実施形態においては晴れ乾燥係数を用いて晴れ時間に重み付けして累計乾燥時間を求め、累計乾燥時間と曇り乾燥時間とを比較しているが、これに限らない。重み付けは、曇り乾燥係数すなわち曇り乾燥時間の晴れ乾燥時間に対する比を用いることとし、晴れ時間についてはそのまま累計乾燥時間に加算し、曇り時間については曇り乾燥係数をかけた時間を加算する構成としてもよい。この場合は、累計乾燥時間と晴れ乾燥時間とを比較して相互に等しくなるときの晴れ時間及び曇り時間の合計時間を求めることで、同様に衣類の乾燥時間が求められる。
【００９１】
図１７及び図１８を参照して、ディスプレイ２０への出力処理について説明する。
図１７は、全ての衣類が乾くと予想される時刻をディスプレイ２０に表示する例である。ディスプレイ２０に表示される時刻情報のうち、「洗濯終了予想時刻」は、洗濯機１において洗濯物の分量や衣類の材質等と洗濯開始時刻とに基づいて求めた、先述の洗濯終了時刻である。
【００９２】
「物干完了予定時刻」は、上記の運用条件データベース５に格納されている、ユーザが洗濯動作終了後に、洗濯物を干すのに要する時間と「洗濯終了予想時刻」とから求められる時刻である。
【００９３】
「タイムリミット時刻」は、図１０のステップＳ４５及びステップＳ４７において求めた時刻である。
「乾燥完了予定時刻」は、上記の物干完了予定時刻に衣類の乾燥予定時間のうち最長となる値を加えて得られる時刻である。
【００９４】
図１７に示すように、ディスプレイ２０に表示する情報としては、洗濯及び物干に関する予想時刻情報のほかに、洗濯物を干す際に留意すべき衣類についての情報や、気象情報提供機関８から取得した天気予報を出力することとしてもよい。
【００９５】
図１８（ａ）及び図１８（ｂ）は、エラーメッセージを表示する例である。
図１８（ａ）は、雨天あるいは日没により洗濯物を屋外に干すことができない旨のエラーメッセージを表示する例である。天気予報によれば、午前９時から正午までの降水確率が高く雨が予想されることから、衣類を干し終えて乾燥が始まる時刻（乾燥開始時刻）すなわち物干完了予定時刻は９時００分には既にタイムリミット時刻を過ぎており、屋外に干すことが適当でない旨のメッセージを表示している。
【００９６】
図１８（ｂ）は、屋内に干すことができるとして予めユーザが設定していた衣類の枚数をオーバーした旨のエラーメッセージを表示する例である。洗濯した衣類のうち２枚までは屋内に干すことができるとしてユーザが運用条件に設定しておいた値「２」に対し、衣類の大きさや材質等により、タイムリミット時刻までに乾き切らない衣類の枚数がかかる制限値を超えた旨のエラーメッセージを表示している。また、図１８（ｂ）の例においては、具体的に屋内に干すべき衣類についての情報をも表示している。
【００９７】
以上説明したように、上記の衣類の乾燥時間算出方法によれば、洗濯機１の置かれている地域の気象情報、衣類に付されたＲＦＩＤタグに格納されている情報を用いているため、実際の気象条件及び衣類の特徴に即した乾燥時間を求めることができる。更には、気象情報を使用しているため、雨天や日没等、屋外に干すことが適さない場合等の、物干に必要な情報を判断してユーザに提供することができる。
【００９８】
（付記１）
衣類に付されたＲＦＩＤタグから属性情報を取り出して洗濯物データベースに格納し、
ネットワークを介して時間帯ごとの天気予報を取得し、
前記洗濯物データベースに格納した前記衣類の属性と、取得した時間帯ごとの天気予報とに基づいて、該洗濯した衣類の乾燥状態を予測する
処理をコンピュータに実行させることを特徴とする衣類の乾燥状態予測プログラム。
（付記２）
前記乾燥状態を予測する処理を実行する前に、前記衣類の洗濯が完了する洗濯終了時刻を求めておき、
前記乾燥状態を予測する処理は、
気象条件情報を格納する気象条件データベースの中から、互いに異なる天気についての気象条件からなり、前記天気予報に含まれる気象条件と整合する第１及び第２の気象条件を検索し、
前記第１及び第２の気象条件の下で前記衣類が乾燥するまでに要する時間をそれぞれ示す、第１及び第２の乾燥所要時間を、前記洗濯物データベースから取り出し、
前記天気予報のうち、前記洗濯終了時刻以降の時間帯についての予想される天気を時系列に順次参照して、前記第１の気象条件の下にある第１の時間については前記第１の乾燥所要時間についての第２の乾燥所要時間に対する比で重み付けをし、前記第２の気象条件の下にある第２の時間については重み付けをせずに、累計時間に加算してゆき、
前記累計時間が前記第２の乾燥所要時間と等しくなったときに、該累計時間の算出に用いた時間帯ごとの前記第１及び第２の時間を合計して前記衣類が乾燥するまでに要する時間として設定する処理を含む
ことを特徴とする付記１記載の乾燥状態予測プログラム。
（付記３）
洗濯機に投入された全ての衣類について、それぞれ前記乾燥するまでに要する時間を求めてデータベースに格納し、
前記データベースを参照し、前記衣類ごとに設定された該衣類が乾燥するまでに要する時間の中から最長時間を検索し、
前記洗濯終了時刻及び前記最長時間に基づいて、前記全ての衣類が乾燥する時刻を求める
処理を更に備えたことを特徴とする付記２記載の乾燥状態予測プログラム。
（付記４）
前記累計時間に前記第１及び第２の時間を順次加算していく処理においては、晴れ及び曇りのうち各時間帯を占める時間が長い方の天気、及び各時間帯の予報において先に現れる天気を判断して、晴れあるいは曇りのいずれについて優先させて前記累計時間に加算していくかを決定する処理を含む
ことを特徴とする付記３記載の乾燥状態予測プログラム。
（付記５）
前記天気予報に雨天が含まれる時間帯あるいは日没時間を含む時間帯については、該時間帯の開始時刻をタイムリミット時刻に設定し、
前記累計時間に前記第１及び第２の時間を順次加算していく処理において、演算の対象とされる時間帯に前記タイムリミット時刻が含まれるときは、該累計時間の演算を終了する
処理を更に備えたことを特徴とする付記３記載の乾燥状態予測プログラム。
（付記６）
前記データベースから、前記乾燥するまでに要する時間が設定されていない衣類を検索し、前記検索により該当する衣類が得られたときは、該衣類については前記タイムリミット時刻までに乾かない旨のメッセージを出力する
処理を更に備えたことを特徴とする付記５記載の乾燥状態予測プログラム。
（付記７）
衣類に付されたＲＦＩＤタグから情報を取り出して洗濯物データベースに格納する第１
の格納手段と、
ネットワークを介して時間帯ごとの天気予報を取得する取得手段と、
前記洗濯物データベースに格納した前記衣類の属性と、取得した時間帯ごとの天気予報とに基づいて、該洗濯した衣類の乾燥状態を予測する乾燥状態予測手段と
を備えたことを特徴とする洗濯機。
（付記８）
衣類に付されたＲＦＩＤタグから情報を取り出して洗濯物データベースに格納し、
ネットワークを介して時間帯ごとの天気予報を取得し、
前記洗濯物データベースに格納した前記衣類の属性と、取得した時間帯ごとの天気予報とに基づいて、該洗濯した衣類の乾燥状態を予測する
処理からなることを特徴とする衣類の乾燥状態予測方法。
【図面の簡単な説明】
【００９９】
【図１】本実施形態に係るシステム図である。
【図２】本実施形態に係る洗濯機の構成図である。
【図３】衣類の乾燥時間を算出する処理の全体を示したフローチャートである。
【図４】衣類への情報登録処理を示したフローチャートである。
【図５】ＲＦＩＤタグに保持されるＲＦＩＤ情報の例である。
【図６】ＲＦＩＤリーダを用いてＲＦＩＤ情報を読み取る処理を示したフローチャートである。
【図７】洗濯物データベースにおいて保持するデータ構造の例である。
【図８】外部から気象情報を取得する処理を示したフローチャートである。
【図９】一時領域に保持される気象情報の構造の例である。
【図１０】情報分析処理を示したフローチャートである。
【図１１】運用条件データベースの構造の例である。
【図１２】衣類ごとの乾燥時間算出処理を示したフローチャート（その１）である。
【図１３】気象条件データベースの構造の例である。
【図１４】衣類ごとの乾燥時間算出処理を示したフローチャート（その２）である。
【図１５】洗濯物仮データベースの構造の例である。
【図１６】衣類ごとの乾燥時間算出処理を示したフローチャート（その３）である。
【図１７】ディスプレイへの出力例（その１）である。
【図１８】ディスプレイへの出力例（その２）である。
【符号の説明】
【０１００】
１      洗濯機
２      ＲＦＩＤリーダ
３      洗濯物データベース
４      気象条件データベース
５      運用条件データベース
６      洗濯物仮データベース
１０      ネットワーク
１２      気象情報取得部
１３      気象情報格納部
１４      検索部
１５      演算部
１６      出力部
２０      ディスプレイ
３０      ＲＦＩＤタグ
【図２】
2008194153.tif 000003
【図３】
2008194153.tif 000004
【図４】
2008194153.tif 000005
【図５】
2008194153.tif 000006
【図６】
2008194153.tif 000007
【図７】
2008194153.tif 000008
【図８】
2008194153.tif 000009
【図９】
2008194153.tif 000010
【図１０】
2008194153.tif 000011
【図１１】
2008194153.tif 000012
【図１２】
2008194153.tif 000013
【図１３】
2008194153.tif 000014
【図１４】
2008194153.tif 000015
【図１５】
2008194153.tif 000016
【図１６】
2008194153.tif 000017
【図１７】
2008194153.tif 000018
【図１８】
2008194153.tif 000019
【図１】
2008194153.tif 000020